【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】  溶解した無機物質を含有する酸性水を処理するプロセスが、
(i)pH上昇添加剤を、水のpHを予め決定された値まで上昇させるために十分な量添加する段階；および
(ii)中和されたボーキサイト精錬残渣を、該水中の少なくとも1つの該無機物質の濃度を予め決定されたレベル以下に低下させるために十分な量の水に添加する段階を含み、該ボーキサイト精錬残渣は、標準的な土壌試験で、赤泥が10.5未満の反応PHを提示するのに十分な時間、中和された赤泥の重量の1部分と蒸留水または脱イオン水の重量の5部分を混合した際、海水、塩分を含んだ地下水、または赤泥に存在する実質的に全ての水酸化物イオン、炭酸イオン、フッ化物イオン、シュウ酸イオンと反応するのに十分なカルシウムおよびマグネシウムを含む他の水によって処理された赤泥である、プロセス。
【請求項２】  段階(i)の後、水が、その中に懸濁された水不溶性の物質を含有する、段階 (ii)の前に、水不溶性の物質の少なくとも一部を分離するまたは沈降させる段階をさらに含む、請求項1記載のプロセス。
【請求項３】  pH上昇添加剤が、水酸化カルシウム、炭酸ナトリウム、水酸化ナトリウム、水酸化カリウム、炭酸水素ナトリウム、炭酸カルシウムおよび酸化マグネシウムからなる群より選択される、請求項1記載のプロセス。
【請求項４】  中和されたボーキサイト精錬残渣が、1つまたは複数の水処理添加剤と共に添加される、請求項1記載のプロセス。
【請求項５】  溶解した無機物質を含有する水を処理するプロセスが
(i)第一の量の中和されたボーキサイト精錬残渣を、水中の少なくとも1つの無機物質の濃度を低下させるために十分な量の該水へ添加する段階；および
(ii)第二の量の中和されたボーキサイト精錬残渣を、少なくとも1つの該無機物質の濃度を予め決定されたレベル以下に低下させるために十分な量の該水へ添加する段階
を含み、段階(i)および段階(ii)の少なくとも一方において、該中和されたボーキサイト精錬残渣は、1つまたは複数の水処理添加剤と共に水に添加され、かつ該ボーキサイト精錬残渣が、標準的な土壌試験で、赤泥が10.5未満の反応PHを提示するのに十分な時間、中和された赤泥の重量の1部分と蒸留水または脱イオン水の重量の5部分を混合した際、海水、塩分を含んだ地下水、または赤泥に存在する実質的に全ての水酸化物イオン、炭酸イオン、フッ化物イオン、シュウ酸イオンと反応するのに十分なカルシウムおよびマグネシウムを含む他の水によって処理された赤泥である、プロセス。
【請求項６】  少なくとも1つの他の無機物質の濃度を予め決定されたレベル以下に低下させるために十分な量の中和されたボーキサイト精錬残渣を、水処理添加剤を添加または添加せずに、少なくとも1回続いて添加する段階をさらに含む、請求項5記載のプロセス。
【請求項７】  段階(i)の後および段階(ii)の前に水中に懸濁されている任意の不溶性物質の少なくとも一部を分離するまたは沈降させる段階をさらに含む、請求項5記載のプロセス。
【請求項８】  プロセスが、
(i)第一の量の中和された赤泥を、該水中の少なくとも1つの無機物質の濃度を低下させるために十分な量の該水へ添加する段階；
(ii)第二の量の中和された赤泥を、該水中の少なくとも1つの該無機物質の濃度を低下させるために十分な量の該水へ添加する段階；および
(iii)第三の量の中和された赤泥を、少なくとも1つの該無機物質の濃度を予め決定されたレベル以下に低下させるために十分な量の該水へ添加する段階；
を含み、段階(i)、(ii)および(iii)の少なくとも1つにおいて、中和された赤泥が、1つまたは複数の水処理添加剤と共に水に添加され、かつ該ボーキサイト精錬残渣が、標準的な土壌試験で、赤泥が10.5未満の反応PHを提示するのに十分な時間、中和された赤泥の重量の1部分と蒸留水または脱イオン水の重量の5部分を混合した際、海水、塩分を含んだ地下水、または赤泥に存在する実質的に全ての水酸化物イオン、炭酸イオン、フッ化物イオン、シュウ酸イオンと反応するのに十分なカルシウムおよびマグネシウムを含む他の水によって処理された赤泥である、請求項5記載のプロセス。
【請求項９】  (i)(a)段階(i)の後に、水中に懸濁されている任意の不溶性物質の少なくとも一部を分離するまたは沈降させる段階をさらに含む、請求項8記載のプロセス。
【請求項１０】  (ii)(a)段階(ii)の後に、水中に懸濁されている任意の不溶性物質の少なくとも一部を分離するまたは沈降させる段階をさらに含む、請求項8記載のプロセス。
【請求項１１】  以下の段階をさらに含む、請求項8記載のプロセス：
(i)(a)段階(i)の後に、水中に懸濁されている任意の不溶性物質の少なくとも一部を分離するまたは沈降させる段階；および
(ii)(a)段階(ii)の後に、水中に懸濁されている任意の不溶性物質の少なくとも一部を分離するまたは沈降させる段階。
【請求項１２】  水処理添加剤が、アルカリ金属の水酸化物、アルカリ金属の炭酸塩、アルカリ土類金属の水酸化物、アルカリ土類金属の炭酸塩、アルカリ土類金属の酸化物、次亜塩素酸カルシウム、次亜塩素酸ナトリウム、ナトリウムミョウバン、硫酸第一鉄、硫酸アルミニウム、可溶性リン酸塩、リン酸、ヒドロタルサイト、ゼオライト、カンラン石、輝石、塩化バリウム、ケイ酸およびそれらの塩、メタケイ酸およびそれらの塩、ならびにマガディアイトからなる群より選択される、請求項5〜11のいずれか1項記載のプロセス。
【請求項１３】  水処理添加剤が、水酸化ナトリウム、炭酸ナトリウム、水酸化カルシウム、炭酸カルシウム、酸化マグネシウム、次亜塩素酸カルシウム、次亜塩素酸ナトリウム、ナトリウムミョウバン、硫酸第一鉄、硫酸アルミニウム、リン酸アンモニウム、リン酸、ヒドロタルサイト、ゼオライト、カンラン石、輝石、塩化バリウム、ケイ酸およびそれらの塩、メタケイ酸およびそれらの塩、ならびにマガディアイトからなる群より選択される、請求項12記載のプロセス。
【請求項１４】  中和されたボーキサイト精錬残渣と水処理添加剤の混合物を含む組成物であって、該ボーキサイト精錬残渣が、標準的な土壌試験で、赤泥が10.5未満の反応PHを提示するのに十分な時間、中和された赤泥の重量の1部分と蒸留水または脱イオン水の重量の5部分を混合した際、海水、塩分を含んだ地下水、または赤泥に存在する実質的に全ての水酸化物イオン、炭酸イオン、フッ化物イオン、シュウ酸イオンと反応するのに十分なカルシウムおよびマグネシウムを含む他の水によって処理された赤泥である、組成物。
【請求項１５】  アルカリ金属の水酸化物、アルカリ金属の炭酸塩、アルカリ土類金属の水酸化物、アルカリ土類金属の炭酸塩、アルカリ土類金属の酸化物、次亜塩素酸カルシウム、ナトリウムミョウバン、硫酸第一鉄、硫酸アルミニウム、可溶性リン酸塩、リン酸、ヒドロタルサイト、ゼオライト、カンラン石、輝石、塩化バリウム、ケイ酸およびそれらの塩、メタケイ酸およびそれらの塩、ならびにマガディアイトからなる群より選択される1つまたは複数の物質と、中和されたボーキサイト精錬残渣の混合物である、請求項14記載の組成物。
【請求項１６】  以下の段階を含む、赤泥を中和するプロセス：
赤泥を、基底量および処理量のカルシウムイオンならびに基底量および処理量のマグネシウムイオンを含有する水性処理溶液と共に、少なくとも部分的に中和された赤泥および使用済の水溶液を産生するのに十分な時間混合する段階であり、水性処理溶液が海水以外であるという条件下で、
少なくとも部分的に中和された赤泥が、重量比１に対して、重量比5の脱イオン水または蒸留水と混合された場合に、赤泥が10.5未満の反応pHを有し；
カルシウムイオンおよびマグネシウムイオンの基底量が、処理溶液および赤泥の総容量に対して、1リットルあたり各々、8mmolおよび12mmolであり；
カルシウムイオンの処理量は、アルカリ度が等しい炭酸カルシウムとして表された赤泥の総アルカリ度に対して、1mol当たり少なくとも25mmolであり；かつ
マグネシウムイオンの処理量は、アルカリ度が等しい炭酸カルシウムとして表された赤泥の総アルカリ度に対して、1mol当たり少なくとも400mmolである段階。
【請求項１７】  カルシウムイオン処理量が、アルカリ度が等しい炭酸カルシウムとして表された赤泥の総アルカリ度に対して、1mol当たり25mmol〜50mmolである、請求項16記載のプロセス。
【請求項１８】  マグネシウムイオン処理量が、アルカリ度が等しい炭酸カルシウムとして表された赤泥の総アルカリに対して、1mol当たり400mmol〜600mmolである、請求項16または17記載のプロセス。
【請求項１９】  マグネシウムイオン処理量およびカルシウムイオン処理量が、モル比12〜20の範囲内である、請求項16記載のプロセス。
【請求項２０】  反応pHが8.4〜8.8の範囲内である、請求項16記載のプロセス。
【請求項２１】  水性処理溶液が、ニガリを含むブラインである、請求項16記載のプロセス。
【請求項２２】  請求項16〜21のいずれか1項記載のプロセスにより調製された場合の、中和された赤泥。
【請求項２３】  中和されたボーキサイト精錬残渣が、請求項22記載の中和された赤泥である、請求項1記載のプロセス。
【請求項２４】  段階(i)および段階(ii)の少なくとも一方の中和されたボーキサイト精錬残渣が、請求項22記載の中和された赤泥である、請求項5記載のプロセス。
【請求項２５】  中和されたボーキサイト精錬残渣が、請求項22記載の中和された赤泥である、請求項14記載の組成物。